(57)【要約】【課題】  本発明の目的は液晶レンズもしくは液体レンズを用いる事による画質の劣化を防いだカメラを提供することで、また他の目的はバーコードを正確に読み取ることの可能な携帯機器用カメラを提供することである。【解決手段】  曲面レンズと液晶レンズもしくは液体レンズとの双方のレンズと、撮影モードを設定するスイッチと、画像信号を処理する信号処理回路と、該信号処理回路の出力を記録するレジスタと、該レジスタの内容を表示する表示モニタとを有し、通常撮影モードが設定されている時は前記液晶レンズもしくは液体レンズをＯＦＦ状態とし、前記設定スイッチによってマクロ撮影モードが設定されている時は前記液晶レンズもしくは液体レンズをＯＮ状態とし、前記信号処理回路は複数の信号処理方式を選択可能に構成し、前記設定スイッチが切り換えられた時は前記信号処理方式を選択し直すようにした。【選択図】        図４
2009042675.tif 000002
【特許請求の範囲】
【請求項１】
少なくとも一方が曲面になっている曲面レンズと液晶レンズもしくは液体レンズとの双方のレンズと、
通常撮影モードかマクロ撮影モードかを設定するスイッチと、
前記レンズを通して取り込んだ画像信号を処理する信号処理回路と、
該信号処理回路の出力を記録するレジスタと、
該レジスタの内容を表示する表示モニタとを有し、
前記設定スイッチによって通常撮影モードが設定されている時は前記液晶レンズもしくは液体レンズをＯＦＦ状態とし、
前記設定スイッチによってマクロ撮影モードが設定されている時は前記液晶レンズもしくは液体レンズをＯＮ状態とすることを特徴とする液晶レンズもしくは液体レンズを備えたカメラ。
【請求項２】
前記信号処理回路は複数の信号処理方式を選択可能に構成され、
前記設定スイッチが切り換えられた時は前記信号処理方式を選択し直すよう構成したことを特徴とする請求項１記載の液晶レンズもしくは液体レンズを備えたカメラ。
【請求項３】
前記信号処理方式は、少なくとも前記液晶レンズもしくは液体レンズがＯＮのときとＯＦＦの時で異なる方式を選択するよう構成したことを特徴とする請求項２記載の液晶レンズもしくは液体レンズを備えたカメラ。
【請求項４】
前記液晶レンズがＯＮのとき選択する前記信号処理方式においては、入力輝度レベルに対し出力輝度レベルが低くなるよう処理されていることを特徴とする請求項３記載の液晶レンズもしくは液体レンズを備えたカメラ。
【請求項５】
前記液晶レンズもしくは液体レンズがＯＮのとき選択する前記信号処理方式においては、入力輝度レベルに閾値が設けられており、該閾値よりも入力輝度が高い時は出力輝度は白レベルに近く、該閾値よりも入力輝度が低い時は出力輝度は黒レベルに近くなるよう処理されていることを特徴とする請求項３記載の液晶レンズを備えたカメラ。
【請求項６】
液晶レンズもしくは液体レンズを備えたカメラにおいて、該カメラは、
少なくとも一方が曲面になっている曲面レンズと液晶レンズもしくは液体レンズとの双方のレンズと、
通常撮影モードかマクロ撮影モードかを設定するスイッチと、
前記レンズを通して取り込んだ画像信号を処理し、複数の信号処理方式を選択可能に構成された信号処理回路と、
該信号処理回路の出力を記録するレジスタと、
該レジスタの内容を表示する表示モニタとを有し、
バーコード読み取り時には、
前記設定スイッチをマクロ撮影モードに設定し、
前記信号処理方式は、入力輝度レベルに閾値が設けられており、該閾値よりも入力輝度が高い時は出力輝度は白レベルに近く、該閾値よりも入力輝度が低い時は出力輝度は黒レベルに近くなるよう処理される方式である
ことを特徴とする液晶レンズもしくは液体レンズを備えたカメラ。
【請求項７】
前記信号処理方式はエッジ強調機能を有する
ことを特徴とする請求項６記載の液晶レンズもしくは液体レンズを備えたカメラ。  
【請求項８】
液晶レンズもしくは液体レンズを備えたカメラにおいて、該カメラは、
少なくとも一方が曲面になっている曲面レンズと液晶レンズもしくは液体レンズとの双方のレンズと、
通常撮影モードかマクロ撮影モードかを設定するスイッチと、
前記レンズを通して取り込んだカラー画像信号を処理し、複数の信号処理方式を選択可能に構成された信号処理回路と、
該信号処理回路の出力を記録するレジスタと、
該レジスタの内容をカラー表示可能な表示モニタとを有し、
バーコード読み取り時には、
前記設定スイッチをマクロ撮影モードに設定し、
前記信号処理方式は、前記カラー画像信号をモノクローム信号に変換する方式である
ことを特徴とする液晶レンズもしくは液体レンズを備えたカメラ。
【発明の詳細な説明】
【技術分野】
【０００１】
本発明は液晶レンズもしくは液体レンズを備えたカメラに関し、特にマクロ撮影機構を備えたカメラに関する。
【背景技術】
【０００２】
従来マクロ撮影機構を備えたカメラに関しては、通常の撮影モードから近接撮影であるマクロ撮影モードに移行した時の画質維持が大きな問題となっていた。
例えばマクロ撮影時には画像信号を増幅する回路のゲインを上昇させ、一方絞りを絞ってピントを合わせやすくする、すなわちピントの狂いを防いで画質を向上させるという提案がある（例えば特許文献１参照））。
【０００３】
しかし携帯電話のような小型携帯機器に組み込まれるカメラにおいては状況が異なる。
このような小型機器に組み込まれるカメラにおいては機械的なサイズを小さくする必要があるため、オートフォーカス機構やズーム機構はもとより絞り量可変の絞り機構も用いないことが望ましい。一方通常の遠距離撮影モードである通常撮影モードに加え、接写モードであるマクロ撮影モードは必要である。
【０００４】
該通常撮影モードに加え、接写モードを設けるため図８に示すような構造を採用していた。
すなわち図８において、被写体１１から発せられる光１３は，通常用いられる光学レンズである少なくとも一方が曲面になっている曲面レンズ群を有する鏡筒１２、ＩＲカットフィルター１４，撮像素子であるセンサー１６を介してカメラ内の電子回路であるホスト１７に取り込まれる。ホスト（ＨＯＳＴ）１７はＣＰＵを含みカメラ全体の制御をつかさどる。
【０００５】
通常撮影モードに加え、接写モードを設けるためにマイクロレバー１５を設け、該レバー１５を切り換えることにより鏡筒１２内の曲面レンズ群を上下させ焦点距離を変えることによりモードを切り換えていた。
しかしこのような構造は携帯電話のような小型携帯機器においては小型化の障害になるという問題があった。
【０００６】
このため少なくとも一方が曲面になっている通常の曲面レンズに加え液晶レンズもしくは液体レンズを用い、通常撮影モードとマクロ撮影モードとでそれぞれピント（焦点距離）を切り換えるという考えがある。
図９は液晶レンズ１０の例を示した図である。
液晶レンズ１０は透明な平面基板１０４と１０６の間に液晶物質を挟んで構成されており、平面基板１０４の液晶物質側には図９で斜線を施した同心円状の透明電極１００が形成されており、平面基板１０６の液晶物質側には該透明電極１００を覆うように全面にわたって共通電極が形成されている。問題となるのは同心円状の透明電極１００に駆動電圧を印加するための引き出し電極１０２で、この引き出し電極部１０２でも光が変調されるため、液晶レンズ１０を通して得られる画像が白っぽく、いわゆる白ボケ状態となって画質を落としてしまうという点である。
【０００７】
なお透明電極を多層化してこのような引き出し電極の悪影響を省くという方法もあるが、工程の増加によるコストアップが大きく実現は難しい。
なお以下の図において、同様の部材には同様の番号を付して説明を省略している。
【０００８】
液体レンズは２種類以上の屈折率の異なる液体を同一の筐体に封止し、その境界面の屈折率の異なりにより光を屈折させ、球面レンズを構成するものである。
また、液体の境界面を外部からの信号によって可変することによって球面レンズの形状を可変し、光の屈折の特性を可変させることが出来るレンズである。
本レンズはその特性上、球面レンズしか構成できないため、本発明のようなマクロモード撮影時のような大きな屈折をさせる場合には画像中心と周辺の焦点がずれてしまい易いという問題があった。
【０００９】
また近年バーコードが普及し、特にバーコードが２次元に展開されたＱＲコードが出現するに至って小型携帯機器でもこれらバーコードを正確に読み取りたいという要求が出てきた。しかし従来の携帯機器用カメラではバーコードを正確に読み取ることは難しいという問題があった。
【００１０】
【特許文献１】特開平０５−０６６４５４
【発明の開示】
【発明が解決しようとする課題】
【００１１】
本発明の目的は液晶レンズもしくは液体レンズを用いる事による画質の劣化を防いだカメラを提供することである。
また本発明の他の目的はバーコードを正確に読み取ることの可能な携帯機器用カメラを提供することである。
【課題を解決するための手段】
【００１２】
本発明による液晶レンズもしくは液体レンズを備えたカメラは、少なくとも一方が曲面になっている曲面レンズと液晶レンズもしくは液体レンズとの双方のレンズと、通常撮影モードかマクロ撮影モードかを設定するスイッチと、前記レンズを通して取り込んだ画像信号を処理する信号処理回路と、該信号処理回路の出力を記録するレジスタと、該レジスタの内容を表示する表示モニタとを有し、前記設定スイッチによって通常撮影モードが設定されている時は前記液晶レンズもしくは液体レンズをＯＦＦ状態とし、前記設定スイッチによってマクロ撮影モードが設定されている時は前記液晶レンズもしくは液体レンズをＯＮ状態とすることを特徴とする。
【００１３】
また本発明による液晶レンズもしくは液体レンズを備えたカメラは、前記信号処理回路が複数の信号処理方式を選択可能に構成され、前記設定スイッチが切り換えられた時は前記信号処理方式を選択し直すよう構成したことを特徴とする。
【００１４】
また本発明による液晶レンズもしくは液体レンズを備えたカメラは、前記信号処理方式を、少なくとも前記液晶レンズもしくは液体レンズがＯＮのときとＯＦＦの時で異なる方式を選択するよう構成したことを特徴とする。
【００１５】
また本発明による液晶レンズもしくは液体レンズを備えたカメラは、  前記液晶レンズもしくは液体レンズがＯＮのとき選択する前記信号処理方式においては、入力輝度レベルに対し出力輝度レベルが低くなるよう処理されていることを特徴とする。
【００１６】
また本発明による液晶レンズもしくは液体レンズを備えたカメラは、前記液晶レンズもしくは液体レンズがＯＮのとき選択する前記信号処理方式においては、入力輝度レベルに閾値が設けられており、該閾値よりも入力輝度が高い時は出力輝度は白レベルに近く、該閾値よりも入力輝度が低い時は出力輝度は黒レベルに近くなるよう処理されていることを特徴とする。
【００１７】
また本発明による液晶レンズもしくは液体レンズを備えたカメラは、少なくとも一方が曲面になっている曲面レンズと液晶レンズもしくは液体レンズとの双方のレンズと、通常撮影モードかマクロ撮影モードかを設定するスイッチと、前記レンズを通して取り込んだ画像信号を処理し、複数の信号処理方式を選択可能に構成された信号処理回路と、該信号処理回路の出力を記録するレジスタと、
該レジスタの内容を表示する表示モニタとを有し、バーコード読み取り時には、前記設定スイッチをマクロ撮影モードに設定し、前記信号処理方式は、入力輝度レベルに閾値が設けられており、該閾値よりも入力輝度が高い時は出力輝度は白レベルに近く、該閾値よりも入力輝度が低い時は出力輝度は黒レベルに近くなるよう処理される方式であることを特徴とする。
【００１８】
また本発明による液晶レンズもしくは液体レンズを備えたカメラは、前記信号処理方式がエッジ強調機能を有することを特徴とする。  
【００１９】
また本発明による液晶レンズもしくは液体レンズを備えたカメラは、少なくとも一方が曲面になっている曲面レンズと液晶レンズもしくは液体レンズとの双方のレンズと、通常撮影モードかマクロ撮影モードかを設定するスイッチと、前記レンズを通して取り込んだカラー画像信号を処理し、複数の信号処理方式を選択可能に構成された信号処理回路と、該信号処理回路の出力を記録するレジスタと、該レジスタの内容をカラー表示可能な表示モニタとを有し、バーコード読み取り時には、前記設定スイッチをマクロ撮影モードに設定し、前記信号処理方式は、前記カラー画像信号をモノクローム信号に変換する方式であることを特徴とする。
【発明の効果】
【００２０】
本発明によれば、液晶レンズもしくは液体レンズを用いる事による画質の劣化を防ぐという、液晶レンズもしくは液体レンズを用いたカメラ特有の問題を解決することが出来る。
また本発明によればバーコードを正確に読み取ることの可能な携帯機器用カメラを実現出来る。
【発明を実施するための最良の形態】
【００２１】
少なくとも一方が曲面になっている曲面レンズと液晶レンズもしくは液体レンズとの双方のレンズと、通常撮影モードかマクロ撮影モードかを設定するスイッチと、前記レンズを通して取り込んだ画像信号を処理する信号処理回路と、該信号処理回路の出力を記録するレジスタと、該レジスタの内容を表示する表示モニタとを有し、前記設定スイッチによって通常撮影モードが設定されている時は前記液晶レンズもしくは液体レンズをＯＦＦ状態とし、前記設定スイッチによってマクロ撮影モードが設定されている時は前記液晶レンズもしくは液体レンズをＯＮ状態とし、前記信号処理回路は複数の信号処理方式を選択可能に構成し、前記設定スイッチが切り換えられた時は前記信号処理方式を選択し直すようにした。
以下実施例に基づいて本発明の説明を行う。
なお以下の実施例では液晶レンズを備えたカメラの例を説明するが、液体レンズを備えたカメラにおいても同様の構成が可能であり、また効果が期待できる。
【実施例１】
【００２２】
図１は本発明による液晶レンズもしくは液体レンズを備えたカメラの画像取り込み系を模式的に示した図である。
被写体１１から発せられる光１３は液晶レンズ１０，通常用いられる光学レンズである少なくとも一方が曲面になっている曲面レンズ群を有する鏡筒１２、ＩＲカットフィルター１４，撮像素子であるセンサー１６を介してカメラ内にあるホスト１７に取り込まれる。ホスト（ＨＯＳＴ）１７はＣＰＵを含みカメラ全体の制御をつかさどる。
すなわち本発明のカメラにおいては液晶レンズ１０は常時撮影光路内に置かれており曲面レンズ群は変位させられない。
通常撮影モードの時には液晶レンズ１０をＯＦＦにし、接写モードのときはＯＮにすることにより焦点距離を変えている。
【００２３】
図２は本発明による液晶レンズもしくは液体レンズを備えたカメラ９８のブロック図である。
図２において、被写体からの光は液晶レンズ１０，曲面レンズ１８、もろもろの撮影機構２０を経てＣＣＤ，ＣＭＯＳセンサー等の撮像素子２２の面に結像し光電変換される。そして撮像素子２２から出力された撮像信号は信号処理回路２４で所定方式の記録用出力に変換されて画像記録レジスタ２６で記録され、該画像記録レジスタ２６の内容はＣＰＵ３２の指示によって表示モニタ２８に表示される。信号処理回路２４は前記撮像信号を増幅する機能を有する。
【００２４】
設定スイッチ３０は通常撮影モードかマクロ撮影モードかを設定するもので、例えば２安定スイッチで一方の安定状態の時は遠距離撮影の通常撮影モードを、他方の安定状態の時は近距離撮影のマクロ撮影モードを設定することが出来る。また後述するバーコード読み取り状態は該マクロ撮影モードに含むことも出来る。また設定スイッチ３０を３安定スイッチとして第３の安定状態をバーコード読み取りモードとすることも出来るし、設定スイッチ３０内に複数のスイッチを設けてバーコード読み取りモード設定専用のスイッチとすることも出来る。ＣＰＵ３２は各ブロックの状態を見てカメラ系全体の制御を行う。ＣＰＵ３２が表示モニタ２８に対し現在選択されている撮影モードの表示を指示出来ることは勿論である。レリーズボタン３４はいわゆるシャッターで、該ボタン３４が操作されるとＣＰＵ３２は画像を取り込み処理して表示モニタ２８への表示を指示する。点線で囲った部分がホスト１７である。
【００２５】
すなわち図２の液晶レンズを備えたカメラ９８は  少なくとも一方が曲面になっている曲面レンズ１８と液晶レンズ１０との双方のレンズと、通常撮影モードかマクロ撮影モードかを設定するスイッチ３０と、前記レンズを通して取り込んだ画像信号を処理する信号処理回路２４と、該信号処理回路の出力を記録するレジスタ２６と、該レジスタの内容を表示する表示モニタとを有している。
【００２６】
ここで注意を要するのは、本発明による液晶レンズを備えたカメラ９８の実施例は小型化を目的としているためオートフォーカス機構を有していないことである。オートフォーカス機構の代わりに少なくとも２つの撮影モード、遠距離撮影モードである通常撮影モードと、接写モードであるマクロ撮影モードとを有しており、それぞれのモードで少なくとも曲面レンズ１８に関しては固定焦点方式を採用している。マクロ撮影モードにおいては液晶レンズ１０をＯＮにすることにより焦点を近距離に合わせている。すなわち通常撮影モードとマクロ撮影モードとで曲面レンズ１８の焦点距離は等しくしておいて小型化を計り、液晶レンズ１０をＯＮにするかＯＦＦにするかのみで焦点距離を変えている。
【００２７】
図３は図２に示した信号処理回路２４の構成を示した図である。
図３において、信号処理回路２４は画像処理レジスタ４６を有し、該画像処理レジスタ４６は複数であるＮ個の信号処理方式３６，３８，４０，４２のうち１つを選択回路４４で選択して読み込む。例えば映像信号のγ（ガンマ）補正はこの信号処理方式の一種である。  どの信号処理方式を選択するかはＣＰＵ３２の指示による。
【００２８】
図４は本発明による液晶レンズもしくは液体レンズを備えたカメラ９８の接写モード時に有効な画像パラメータ（すなわち信号処理方式）の例である。
図４に示すように接写モードに切り換えたとき、露出（ＡＥ）に関しては、主被写体が中央にあるケースが多いため、中央重点の測光ウィンド設定とする。ホワイトバランスモードに関しては、同様に主被写体が中央にあるケースが多いため、中央重点の測光ウィンド設定としまた、被写体の中に大きな単色系の被写体）があることが多いため、追従範囲が狭い設定とする。ガンマ補正に関しては、ＱＲコード認識率向上のため、コントラスト差を大きく設定とする。エッジ強調機能に関しては、同様にＱＲコード認識率向上のため、強めの設定とすることが考えられる。
これらの設定が信号処理方式である。
すなわち信号処理回路２４は複数の信号処理方式を選択可能に構成されている。
【００２９】
図５は本発明による液晶レンズもしくは液体レンズを備えたカメラ９８の制御方法を示したフローチャートである。
図５において、４８でカメラの電源がＯＮとなると５０で初期設定される。ここでは例えば通常撮影モードに設定し液晶レンズをＯＦＦにする。
次に５２で設定スイッチ３０を調べマクロモードに設定されているかどうかを調べる。
マクロモードに設定されていた場合は５３に進んで液晶レンズ１０をＯＮにし、５４で液晶レンズを用いた場合の信号処理方式を選択する。信号処理方式が選択された場合は図３に示した信号処理回路２４内で選択された信号処理方式が画像処理レジスタ４６に書き込まれる。
マクロモードに設定されていなかった場合は５５に進み液晶レンズ１０をＯＦＦにし、５５で通常撮影モード用の画像処理方式を選択する。
【００３０】
次に５６でシャッターであるレリーズボタン３４が操作されたかを監視し、操作された場合は５８で液晶レンズ１０，曲面レンズ１８，撮影機構２０，撮像素子２２を介して画像を取り込み、６０に進んで該取り込んだ画像信号を信号処理回路２４で画像信号処理し、該処理された画像信号を６２で画像記録レジスタ２６に記録し、６４で該画像記録レジスタ２６の内容を表示モニタ２８に表示し５２へ戻る。
レリーズボタン３４が操作されなかった場合は５２へ戻る。
このように本発明のカメラの制御は図５に示したループで待機しているので設定スイッチ３０によって撮影モードが切り換えられた時は直ちに液晶レンズのＯＮ，ＯＦＦが切り換えられ、信号処理方式も切り換えられて画像処理レジスタ４６に書き込まれる。
【００３１】
すなわち本発明による液晶レンズを備えたカメラ９８は、設定スイッチ３０によって通常撮影モードが設定されている時は液晶レンズ１０をＯＦＦ状態とし、マクロ撮影モードが設定されている時は液晶レンズ１０をＯＮ状態としている。
またマクロ撮影が設定された時は液晶レンズＯＮとするとともに画像レジスタ４６で信号処理方式を読み直しているため、液晶レンズによる画質の変化を表示してしまうことがなく、違和感の発生を抑えることが出来ている。
また信号処理回路２４は複数の信号処理方式を選択可能に構成され、設定スイッチ３０が切り換えられ撮影モードが変更された場合は信号処理方式を選択し直すよう構成されている。
【００３２】
液晶レンズを用いると、図９で説明したように引き出し電極部１０２でも光が変調されるため、得られる画像が白っぽく、いわゆる白ボケ状態となって画質を落としてしまうという問題がった。しかし本発明による液晶レンズを備えたカメラ９８においては、液晶レンズ１０を通して得られた画像を表示する前に信号処理回路２４で信号処理方式を液晶レンズ用のものに選択し直しておくため、白ボケ画像を表示モニタ２８に映ることを防ぐことが出来、違和感を生じる事態を回避出来る。
【００３３】
図６は図３で示した信号処理方式の一実施例で液晶レンズ１０がＯＮの時、液晶レンズ１０による画像白ボケ対策を施したものである。
図６において、横軸は入力輝度を、縦軸は出力輝度を示している。横軸に示したＢｗはカメラが実際に認識出来る黒から白の幅を示している。
点線６６は入力輝度と出力輝度が等しい点を結んでいるが、太線６８で示した信号処理結果の曲線は点線６６よりも出力信号の輝度が小さい方向にシフトしている。
このような処理は入力輝度よりも出力輝度を大きくして黒部分の分解能をあげる、いわゆるナイトモードと逆の処理で、液晶レンズによる白ボケを防ぐ液晶レンズを用いた場合特有の問題である。
このような処理方式に切り換えることにより、液晶レンズを用いることで白っぽくなってしまった画像の白っぽさを除去することが出来る。
【００３４】
一方液晶レンズ１０がＯＦＦのときの信号処理はいわゆる公知のγ補正を行う。図６に示した画像白ボケ対策の信号処理は、ガンマ補正と画像白ボケ対策を合わせたものにすることが望ましく、その具体的な変換値は実際に採用する曲面レンズ、液晶レンズ等の特性による。
すなわち本発明の液晶レンズを備えたカメラは、少なくとも液晶レンズがＯＮのときとＯＦＦの時とで異なる信号処理方式を選択するよう構成している。
また液晶レンズがＯＮのとき選択する信号処理方式においては、入力輝度レベルに対し出力輝度レベルが低くなるよう処理されている。
【実施例２】
【００３５】
図７は信号処理方式の第２の実施例で、バーコードを正確に読み取る方策を施したものである。バーコード読み取りはマクロ撮影モードで行われるので、図７に示した信号処理方式はマクロ撮影モードで選択されるものである。
図７は図６と同様に、横軸は入力輝度を、縦軸は出力輝度を、横軸に示したＢｗはカメラが実際に認識出来る黒から白の幅を示しており、点線６６は入力輝度と出力輝度が等しい点を結んでいる。
図７に示した信号処理方式においては、入力輝度の閾値Ｂｔｈを設けており、該閾値Ｂｔｈよりも入力輝度が高い時は出力輝度は白レベルに近い太線７２とし、該閾値Ｂｔｈよりも入力輝度が低い時は出力輝度は黒レベルに近い太線７０となるよう処理している。
【００３６】
このように画像信号を処理することにより、白と黒の２値で表されたバーコードを正確に読み取ることが出来る。この信号処理方式はバーコード読み取りモードで用いると特に効果がある。
バーコード読み取りモードにおいては液晶レンズ１０をＯＮにしてピントを近距離に合わせる。
また公知のエッジ強調機能を持たせることも有効である。
【００３７】
さらに通常カラーで扱われる画像信号を白黒のみのモノクローム信号に変換することもバーコード読み取りの正確さを上昇させることに有効である。このような変換方式は前記信号処理方式の一つとして信号処理回路２４内に設けることができるのは勿論である。
【００３８】
近年バーコードが普及し、特にバーコードが２次元に展開されたＱＲコードが出現するに至って小型携帯機器用のカメラではバーコードを正確には読み取れない、特にＱＲコードは読み取りエラーが多いという問題があったが、図７で説明した信号処理方式を用いればそれらの問題を解決可能である。
【００３９】
以上本明細書の実施例では液晶レンズを用いる場合について説明したが、液晶レンズの代わりに液体レンズを用いても同様の効果を生じさせることが出来る。
【図面の簡単な説明】
【００４０】
【図１】本発明による液晶レンズもしくは液体レンズを備えたカメラの画像取り込み系を模式的に示した図である。
【図２】本発明によるカメラのブロック図である。
【図３】本発明による液晶レンズもしくは液体レンズを備えたカメラの信号処理回路の構成を示した図である。
【図４】本発明による液晶レンズもしくは液体レンズを備えたカメラの接写モード時に有効な信号処理方式の例である。
【図５】本発明による液晶レンズもしくは液体レンズを備えたカメラの制御方法を示したフローチャートである。
【図６】本発明による液晶レンズもしくは液体レンズの信号処理方式の第１の実施例である。
【図７】本発明による液晶レンズもしくは液体レンズの信号処理方式の第２の実施例である。
【図８】従来のカメラ構造を示す図である。
【図９】液晶レンズの例を示した図である。
【符号の説明】
【００４１】
１８  曲面レンズ
１０  液晶レンズ
３０  設定スイッチ
２４  信号処理回路
２６  画像記録レジスタ
２８  表示モニタ
９８  液晶レンズを備えたカメラ
３６，３８，４０，４２  複数の信号処理方式
Ｂｔｈ  閾値
７２  白レベルに近い輝度
７０  黒レベルに近い輝度
【図１】
2009042675.tif 000003
【図２】
2009042675.tif 000004
【図３】
2009042675.tif 000005
【図４】
2009042675.tif 000006
【図５】
2009042675.tif 000007
【図６】
2009042675.tif 000008
【図７】
2009042675.tif 000009
【図８】
2009042675.tif 000010
【図９】
2009042675.tif 000011